(57)【要約】【課題】表示部に表示される映像の明るさを低下させることなく、光感受性発作が引き起こされるのを抑制することが可能な表示装置を提供する。【解決手段】このテレビジョン装置１００（表示装置）は、映像信号に基づいて映像を表示する表示部１７と、映像信号に含まれる所定の点滅映像が検出された場合には、ノイズリダクション処理の強度を所定の強度以上にする制御を行う制御部１６とを備える。【選択図】図２
2015154086.tif 000002
【特許請求の範囲】
【請求項１】
映像信号に基づいて映像を表示する表示部と、
前記映像信号に含まれる所定の点滅映像が検出された場合には、ノイズリダクション処理の強度を所定の強度以上にする制御を行う制御部とを備える、表示装置。
【請求項２】
前記制御部は、前記所定の点滅映像が検出された場合には、ノイズリダクション処理の強度を所定の強度以上にするとともに、前記所定の点滅映像が検出されなくなった後には、ノイズリダクション処理の強度を所定の強度以上にする前のノイズリダクション処理の強度に戻す制御を行うように構成されている、請求項１に記載の表示装置。
【請求項３】
前記映像信号の輝度差に基づいて前記所定の点滅映像を検出するように構成されており、
前記制御部は、前記所定の点滅映像における前記映像信号の輝度差を取得するとともに、取得した前記所定の点滅映像における前記映像信号の輝度差の大きさに応じて、ノイズリダクション処理の強度を所定の強度以上の強度に設定する制御を行うように構成されている、請求項１または２に記載の表示装置。
【請求項４】
前記制御部は、前記所定の点滅映像が検出された場合には、ノイズリダクション処理の強度を設定可能な最大の強度に設定するように構成されている、請求項１または２に記載の表示装置。
【請求項５】
周囲の照度を検出する光検出部をさらに備え、
前記制御部は、前記所定の点滅映像が検出された場合には、前記光検出部により検出される周囲の照度の大きさに応じて、ノイズリダクション処理の強度を所定の強度以上の強度に設定する制御を行うように構成されている、請求項１〜３のいずれか１項に記載の表示装置。
【請求項６】
前記所定の点滅映像を検出するための点滅映像検出部をさらに備え、
前記制御部は、前記点滅映像検出部により前記所定の点滅映像が検出された場合には、ノイズリダクション処理の強度を所定の強度以上にする制御を行うように構成されている、請求項１〜５のいずれか１項に記載の表示装置。
【発明の詳細な説明】
【技術分野】
【０００１】
この発明は、表示装置に関し、特に、映像信号に基づいて映像を表示する表示部を備える表示装置に関する。
【背景技術】
【０００２】
従来、映像信号に基づいて映像を表示する表示部を備える表示装置が知られている（たとえば、特許文献１参照）。
【０００３】
上記特許文献１には、映像信号に基づいて映像を表示する液晶パネル（表示部）と、光感受性発作を引き起こす虞のあるシーンを検出する検出手段と、検出手段の検出結果に基づいてバックライトユニットの調光を実行する調光手段とを備える映像表示装置が開示されている。上記特許文献１に記載の映像表示装置では、検出手段により光感受性発作を引き起こす虞のあるシーンが検出された場合には、調光手段によりバックライトユニットの明るさを低下させて、光感受性発作が起こるのが抑制される。
【先行技術文献】
【特許文献】
【０００４】
【特許文献１】特開２００８−３０１１５０号公報
【発明の概要】
【発明が解決しようとする課題】
【０００５】
しかしながら、上記特許文献１に記載の映像表示装置では、光感受性発作が起こるのを抑制するために、調光手段によりバックライトユニットの明るさを低下させるように構成されているため、液晶パネルに表示される映像の明るさが低下してしまうという問題点があった。
【０００６】
この発明は、上記のような課題を解決するためになされたものであり、この発明の１つの目的は、表示部に表示される映像の明るさを低下させることなく、光感受性発作が引き起こされるのを抑制することが可能な表示装置を提供することである。
【課題を解決するための手段】
【０００７】
この発明の一の局面による表示装置は、映像信号に基づいて映像を表示する表示部と、映像信号に含まれる所定の点滅映像が検出された場合には、ノイズリダクション処理の強度を所定の強度以上にする制御を行う制御部とを備える。なお、「所定の点滅映像」とは、光感受性発作を引き起こす虞のある点滅映像のことである。また、「ノイズリダクション処理」とは、時間方向に連続する複数の画像間の相関を用いて画像を平均化する、動画像（映像）に関するノイズ除去のための処理のことである。この「ノイズリダクション処理」では、画像を平均化してノイズ除去のための処理を行うため、ノイズリダクション処理の強度が大きい場合には、平均化した後の画像に残像が発生する。本願発明者は、ノイズリダクション処理によって付随的に発生する残像現象に着目することによって、表示部に表示される映像の明るさを低下させることなく、光感受性発作を抑制可能な手法である本発明を見出した。
【０００８】
すなわち、この発明の一の局面による表示装置では、上記のように、映像信号に含まれる所定の点滅映像が検出された場合には、ノイズリダクション処理の強度を所定の強度以上にする制御を行う制御部を設けることによって、ノイズ除去のためのノイズリダクション処理によって残像が発生することを利用して、光感受性発作を引き起こす虞のある所定の点滅映像において残像を発生させることができるので、所定の点滅映像に起因するユーザに対する影響（フラッシング効果）を抑制することができる。また、ノイズリダクション処理では、映像の明るさを維持することができるので、表示部に表示される映像の明るさを低下させることなく、光感受性発作が引き起こされるのを抑制することができる。
【０００９】
上記一の局面による表示装置において、好ましくは、制御部は、所定の点滅映像が検出された場合には、ノイズリダクション処理の強度を所定の強度以上にするとともに、所定の点滅映像が検出されなくなった後には、ノイズリダクション処理の強度を所定の強度以上にする前のノイズリダクション処理の強度に戻す制御を行うように構成されている。このように構成すれば、所定の点滅映像が検出された場合には、光感受性発作が引き起こされるのを抑制することができるとともに、所定の点滅映像が検出されなくなった後には、ノイズリダクション処理の強度を元に戻すので、ノイズリダクション処理によって残像が発生した映像が表示部に表示され続けるのを防止することができる。
【００１０】
上記一の局面による表示装置において、好ましくは、映像信号の輝度差に基づいて所定の点滅映像を検出するように構成されており、制御部は、所定の点滅映像における映像信号の輝度差を取得するとともに、取得した所定の点滅映像における映像信号の輝度差の大きさに応じて、ノイズリダクション処理の強度を所定の強度以上の強度に設定する制御を行うように構成されている。このように構成すれば、所定の点滅映像における映像信号の輝度差の大きさが大きい場合（フラッシング効果が大きい場合）には、所定の強度以上の強度の範囲内で、ノイズリダクション処理の強度を大きく設定することができるので、光感受性発作が引き起こされるのを確実に抑制することができる、また、所定の点滅映像における映像信号の輝度差の大きさが小さい場合（フラッシング効果が小さい場合）には、所定の強度以上の強度の範囲内で、ノイズリダクション処理の強度を小さく設定することができるので、光感受性発作が引き起こされるのを抑制しながら、ノイズリダクション処理によって残像が必要以上に発生するのを抑制することができる。その結果、ユーザが違和感のある映像（残像が必要以上に発生した映像など）が表示部に表示されるのを抑制することができる。
【００１１】
上記一の局面による表示装置において、好ましくは、制御部は、所定の点滅映像が検出された場合には、ノイズリダクション処理の強度を設定可能な最大の強度に設定するように構成されている。このように構成すれば、残像を確実に発生させて、所定の点滅映像におけるフラッシング効果を確実に抑制することができるので、光感受性発作が引き起こされるのを確実に抑制することができる。
【００１２】
上記一の局面による表示装置において、好ましくは、周囲の照度を検出する光検出部をさらに備え、制御部は、所定の点滅映像が検出された場合には、光検出部により検出される周囲の照度の大きさに応じて、ノイズリダクション処理の強度を所定の強度以上の強度に設定する制御を行うように構成されている。このように構成すれば、表示装置の周囲の状況に応じて、ノイズリダクション処理の強度を適切な強度に設定することができる。
【００１３】
上記一の局面による表示装置において、好ましくは、所定の点滅映像を検出するための点滅映像検出部をさらに備え、制御部は、点滅映像検出部により所定の点滅映像が検出された場合には、ノイズリダクション処理の強度を所定の強度以上にする制御を行うように構成されている。このように構成すれば、制御部により検出処理が行われる場合と異なり、制御部とは異なる点滅映像検出部により検出処理を行うことができるので、制御部の処理負荷を軽減することができる。その結果、制御部によりノイズリダクション処理の強度を所定の強度以上にする制御を迅速に行うことができる。
【発明の効果】
【００１４】
本発明によれば、上記のように、表示部に表示される映像の明るさを低下させることなく、光感受性発作が引き起こされるのを抑制することが可能な表示装置を提供することができる。
【図面の簡単な説明】
【００１５】
【図１】本発明の第１実施形態によるテレビジョン装置の構成を示すブロック図である。
【図２】本発明の第１実施形態によるテレビジョン装置のＮＲ強度設定処理を説明するためのフローチャートである。
【図３】本発明の第２実施形態によるテレビジョン装置のＮＲ強度設定処理を説明するためのフローチャートである。
【図４】本発明の第３実施形態によるテレビジョン装置の構成を示すブロック図である。
【図５】本発明の第３実施形態によるテレビジョン装置のＮＲ強度設定処理を説明するためのフローチャートである。
【図６】本発明の第４実施形態によるテレビジョン装置のＮＲ強度設定処理を説明するためのフローチャートである。
【発明を実施するための形態】
【００１６】
以下、本発明を具体化した実施形態を図面に基づいて説明する。
【００１７】
（第１実施形態）
図１および図２を参照して、本発明の第１実施形態によるテレビジョン装置１００の構成について説明する。
【００１８】
本発明の第１実施形態によるテレビジョン装置１００は、図１に示すように、受信部（チューナ）１１と、復調部１２と、信号入力部１３と、フレームメモリ１４と、点滅映像検出部１５と、制御部１６と、表示部１７とを備えている。なお、テレビジョン装置１００は、本発明の「表示装置」の一例である。
【００１９】
このテレビジョン装置１００は、受信部１１または信号入力部１３から出力される映像信号に含まれる光感受性発作を引き起こす虞のある所定の点滅映像を点滅映像検出部１５により検出するように構成されている。また、テレビジョン装置１００は、光感受性発作を引き起こす虞のある所定の点滅映像が点滅映像検出部１５により検出された場合には、ノイズリダクション（ＮＲ）処理の強度を所定の強度以上にする制御を制御部１６により行うように構成されている。このＮＲ処理の強度を所定の強度以上にするＮＲ強度設定処理の詳細については、各構成要素の説明の後、説明する。
【００２０】
ここで、光感受性発作を引き起こす虞のある所定の点滅映像とは、ＩＴＵ（国際電気通信連合）により示される「ＩＴＵ−Ｒ勧告ＢＴ．１７０２」や、日本放送協会と日本民間放送連盟とにより示される「アニメーション等の映像手法に関するガイドライン」の基準に基づく所定の点滅映像、および、この基準に基づいて規定される自主基準に基づく所定の点滅映像のことである。この光感受性発作を引き起こす虞のある所定の点滅映像には、単に光の点滅を含む映像のみならず、コントラストの強い場面の反転や、急激な場面転換を含む映像についても含まれる。なお、記載が煩雑になることを避けるために、以降「光感受性発作を引き起こす虞のある所定の点滅映像」のことを単に「所定の点滅映像」として記載する。
【００２１】
受信部１１は、放送波などにより配信される放送番組を受信するように構成されている。また、復調部１２は、受信部１１により受信した放送番組を復調して、放送番組の映像信号をフレームメモリ１４に出力するように構成されている。
【００２２】
信号入力部１３は、テレビジョン装置１００の外部の装置から映像信号が入力されるように構成されている。具体的には、信号入力部１３は、所定のケーブル（ＨＤＭＩ（登録商標）ケーブルなど）により接続されるＤＶＤやハードディスクなどの記憶媒体を有する図示しないレコーダ装置、または、ＰＣや携帯電話などの図示しない情報端末からの映像信号が入力されるように構成されている。
【００２３】
フレームメモリ１４は、映像信号に含まれる輝度情報を１フレーム（動画像を構成する静止画像）毎に格納するように構成されている。また、フレームメモリ１４は、複数のフレームの輝度情報を格納するように構成されている。
【００２４】
点滅映像検出部１５は、映像信号の輝度差に基づいて所定の点滅映像を検出するように構成されている。具体的には、点滅映像検出部１５は、フレームメモリ１４に格納されたフレームの輝度情報に基づいて輝度差を取得するとともに、取得した輝度差が所定の輝度差よりも大きい場合には、映像信号に所定の点滅映像が含まれると判別して、映像信号に含まれる所定の点滅映像を検出するように構成されている。また、点滅映像検出部１５は、所定の点滅映像を検出した場合には、所定の点滅映像を検出したことを通知する検出信号を制御部１６に出力するように構成されている。ここで、所定の輝度差とは、「ＩＴＵ−Ｒ勧告ＢＴ．１７０２」や、「アニメーション等の映像手法に関するガイドライン」の基準に基づいて設定される輝度差のことである。なお、フレームの輝度情報に基づく輝度としては、たとえば、フレームの所定の位置における輝度や、フレームの全画素の平均輝度を用いることができる。また、映像信号の輝度差としては、たとえば、単数のフレームの輝度情報に基づく輝度同士を比較した輝度差や、任意の複数フレームの輝度情報に基づく輝度の平均値同士を比較した輝度差を用いることができる。
【００２５】
制御部１６は、テレビジョン装置１００の各構成要素を制御するように構成されている。
【００２６】
ここで、第１実施形態では、制御部１６は、点滅映像検出部１５により所定の点滅映像が検出された場合（点滅映像検出部１５から検出信号を受信した場合）には、ＮＲ処理の強度を所定の強度以上にする制御を行うように構成されている。また、制御部１６は、点滅映像検出部１５により所定の点滅映像が検出されなくなった後（点滅映像検出部１５から検出信号を受信しなくなった場合）には、ＮＲ処理の強度を所定の強度以上にする前のＮＲ処理の強度に戻す制御を行うように構成されている。ここで、所定の強度とは、所定の点滅映像に起因するユーザに対する影響（フラッシング効果）の抑制に有効なＮＲ処理の強度のことである。この所定の強度は、実験などにより適宜決定される。
【００２７】
また、「ノイズリダクション（ＮＲ）処理」とは、時間方向に連続する複数の画像間の相関を用いて画像を平均化する、動画像（映像）に関するノイズ除去のための処理のことである。この「ノイズリダクション処理」では、画像を平均化してノイズ除去のための処理を行うため、ノイズリダクション処理の強度が大きい場合には、平均化した後の画像に残像が発生する。そして、この残像を利用することにより、所定の点滅映像におけるフラッシング効果を抑制することが可能である。
【００２８】
また、第１実施形態では、制御部１６は、所定の点滅映像における映像信号の輝度差の大きさを点滅映像検出部１５から取得するとともに、取得した所定の点滅映像における映像信号の輝度差の大きさに応じて、ＮＲ処理の強度を所定の強度以上の強度に設定する制御を行うように構成されている。所定の点滅映像における映像信号の輝度差の大きさに応じて、ＮＲ処理の強度を設定する制御としては、たとえば、１または複数の輝度差の大きさのしきい値を設けることにより輝度差の大きさに応じて設定する制御でもよいし、輝度差の大きさに基づいてＮＲ処理の強度を求める関数を用いることにより輝度差の大きさに応じて設定する制御でもよい。これらの輝度差のしきい値や関数は、実験などにより適宜決定される。
【００２９】
表示部１７は、映像信号に基づいて映像を表示するように構成されている。詳細には、表示部１７は、ＮＲ処理およびその他の画像処理がなされた映像信号に基づいて映像を表示するように構成されている。
【００３０】
次に、上述した所定の点滅映像における映像信号の輝度差の大きさに応じたＮＲ強度設定処理について、具体的な数値に基づいて一例を説明する。ここでは、ＮＲ処理の強度が０〜１００％の間で設定可能に構成されているとともに、ＮＲ処理の強度の初期値として５０％が、所定の強度として７０％が設定されており、輝度差の大きさを判別するためのしきい値としてしきい値Ｌａおよびしきい値Ｌａよりも大きいしきい値Ｌｂが設定されている例について説明する。なお、ＮＲ処理の強度はこの例に示す値に限定されるものではない。
【００３１】
まず、点滅映像検出部１５により所定の点滅映像が検出されない場合には、強度５０％のＮＲ処理がなされた映像が表示部１７に表示される。ここで、初期値としての強度５０％は、工場出荷状態のテレビジョン装置１００におけるＮＲ処理の強度の設定値、または、ユーザにより設定されたＮＲ処理の強度の値である。
【００３２】
そして、点滅映像検出部１５により所定の点滅映像が検出された場合には、ＮＲ処理の強度が初期値である５０％よりも大きい所定の強度である７０％以上に制御部１６により設定される。具体的には、所定の点滅映像における映像信号の輝度差の大きさがしきい値Ｌａよりも小さい場合には、フラッシング効果が小さいと考えられるので、ＮＲ処理の強度が７０％に制御部１６により設定される。
【００３３】
また、所定の点滅映像における映像信号の輝度差の大きさがしきい値Ｌａ以上でかつしきい値Ｌｂよりも小さい場合には、ＮＲ処理の強度が８５％に制御部１６により設定される。そして、所定の点滅映像における映像信号の輝度差の大きさがしきい値Ｌｂ以上の場合には、所定の点滅映像におけるフラッシング効果が大きいと考えられるので、ＮＲ処理の強度が１００％（設定可能な最大の強度）に制御部１６により設定される。
【００３４】
そして、所定の点滅映像における輝度差の大きさに応じて設定された強度のＮＲ処理がなされた映像が表示部１７に表示される。これにより、所定の点滅映像において残像を発生させて、所定の点滅映像におけるフラッシング効果が抑制される。
【００３５】
その後、所定の点滅映像が検出されなくなった場合には、ＮＲ処理の強度が初期値である５０％に制御部１６により戻される。
【００３６】
次に図２を参照して、テレビジョン装置１００におけるＮＲ強度設定処理についてフローチャートに基づいて説明する。
【００３７】
まず、図２に示すように、ステップＳ１において、映像信号が制御部１６（図１参照）により検出される。そして、ステップＳ２において、所定の点滅映像が検出されたか否か（点滅映像検出部１５からの検出信号が受信されたか否か）が制御部１６により判別される。そして、所定の点滅映像が検出された場合には、ステップＳ３において、上述したように、ＮＲ処理の強度が所定の点滅映像の輝度差の大きさに応じて制御部１６により設定される。
【００３８】
また、ステップＳ２において、所定の点滅映像が検出されない場合には、ステップＳ４において、ＮＲ処理の強度が初期値に制御部１６により設定される。すなわち、所定の点滅映像が検出されてＮＲ処理の強度が初期値から変更されている場合には、ＮＲ処理の強度が初期値に制御部１６により戻される。また、ＮＲ処理の強度が初期値から変更されていない場合には、ステップＳ４において、ＮＲ処理の強度は初期値のままである。
【００３９】
そして、ステップＳ３またはＳ４において、ＮＲ処理の強度が設定された後、ステップＳ５において、ＮＲ処理が制御部１６により実行される。そして、ステップＳ６において、ＮＲ処理後の映像が制御部１６により表示部１７（図１参照）に対して出力されて、ＮＲ強度設定処理が終了される。
【００４０】
第１実施形態では、以下のような効果を得ることができる。
【００４１】
第１実施形態では、上記のように、映像信号に含まれる光感受性発作を引き起こす虞のある所定の点滅映像が検出された場合には、ＮＲ（ノイズリダクション）処理の強度を所定の強度以上にする制御を行う制御部１６を設けることによって、ノイズ除去のためのＮＲ処理によって残像が発生することを利用して、光感受性発作を引き起こす虞のある所定の点滅映像において残像を発生させることができるので、所定の点滅映像に起因するユーザに対する影響（フラッシング効果）を抑制することができる。また、ＮＲ処理では、映像の明るさを維持することができるので、表示部１７に表示される映像の明るさを低下させることなく、光感受性発作が引き起こされるのを抑制することができる。
【００４２】
また、第１実施形態では、上記のように、所定の点滅映像が検出された場合には、ＮＲ処理の強度を所定の強度以上にするとともに、所定の点滅映像が検出されなくなった後には、ＮＲ処理の強度を所定の強度以上にする前のＮＲ処理の強度に戻す制御を行うように制御部１６を構成する。これにより、所定の点滅映像が検出された場合には、光感受性発作が引き起こされるのを抑制することができるとともに、所定の点滅映像が検出されなくなった後には、ＮＲ処理の強度を元に戻すので、ＮＲ処理によって残像が発生した映像が表示部１７に表示され続けるのを防止することができる。
【００４３】
また、第１実施形態では、上記のように、映像信号の輝度差に基づいて所定の点滅映像を検出するようにテレビジョン装置１００を構成する。そして、所定の点滅映像における映像信号の輝度差を取得するとともに、取得した所定の点滅映像における映像信号の輝度差の大きさに応じて、ＮＲ処理の強度を所定の強度以上の強度に設定する制御を行うように制御部１６を構成する。これにより、所定の点滅映像における映像信号の輝度差の大きさが大きい場合（フラッシング効果が大きい場合）には、所定の強度以上の強度の範囲内で、ＮＲ処理の強度を大きく設定することができるので、光感受性発作が引き起こされるのを確実に抑制することができる、また、所定の点滅映像における映像信号の輝度差の大きさが小さい場合（フラッシング効果が小さい場合）には、所定の強度以上の強度の範囲内で、ＮＲ処理の強度を小さく設定することができるので、光感受性発作が引き起こされるのを抑制しながら、ＮＲ処理によって残像が必要以上に発生するのを抑制することができる。その結果、ユーザが違和感のある映像（残像が必要以上に発生した映像など）が表示部１７に表示されるのを抑制することができる。
【００４４】
また、第１実施形態では、上記のように、所定の点滅映像を検出するための点滅映像検出部１５を制御部１６とは別個に備える。そして、点滅映像検出部１５により所定の点滅映像が検出された場合には、ＮＲ処理の強度を所定の強度以上にする制御を行うように制御部１６を構成する。これにより、制御部１６により検出処理が行われる場合と異なり、制御部１６とは異なる点滅映像検出部１５により検出処理を行うことができるので、制御部１６の処理負荷を軽減することができる。その結果、制御部１６によりＮＲ処理の強度を所定の強度以上にする制御を迅速に行うことができる。
【００４５】
（第２実施形態）
次に、図１および図３を参照して、第２実施形態について説明する。この第２実施形態では、上記第１実施形態とは異なり、所定の点滅映像が検出された場合にＮＲ処理の強度を設定可能な最大の強度に設定する例について説明する。なお、設定可能な最大の強度は、本発明の「所定の強度」の一例である。
【００４６】
本発明の第２実施形態によるテレビジョン装置２００は、図１に示すように、所定の点滅映像が検出された場合にＮＲ処理の強度を設定可能な最大の強度に設定する制御を行う制御部１１６を備えている。なお、上記第１実施形態と同一の機能を有する構成については、同じ符号を付してその説明を省略する。なお、テレビジョン装置２００は、本発明の「表示装置」の一例である。
【００４７】
次に、図３を参照して、テレビジョン装置２００におけるＮＲ強度設定処理についてフローチャートに基づいて説明する。なお、図２に示した上記第１実施形態と同一の処理については、同じ符号を付してその説明を省略する。
【００４８】
ステップＳ２において所定の点滅映像が検出された（点滅映像検出部１５からの検出信号が受信された）場合には、図３に示すように、ステップＳ３ａにおいて、所定の点滅映像における輝度差の大きさに応じて段階を踏むことなく、ＮＲ処理の強度が設定可能な最大の強度に制御部１１６（図１参照）により設定される。すなわち、ＮＲ処理の強度が０〜１００％の間で設定可能に構成されている場合には、ＮＲ処理の強度が１００％に制御部１１６により設定される。そして、ステップＳ５およびＳ６において、ＮＲ処理が実行されるとともに、ＮＲ処理後の映像が表示部１７（図１参照）に出力されて、ＮＲ強度設定処理が終了される。
【００４９】
なお、第２実施形態のその他の構成は、上記第１実施形態と同様である。
【００５０】
第２実施形態では、以下のような効果を得ることができる。
【００５１】
第２実施形態では、上記のように、所定の点滅映像が検出された場合には、ＮＲ（ノイズリダクション）処理の強度を設定可能な最大の強度に設定するように制御部１１６を構成する。これにより、上記第１実施形態と同様に、表示部１７に表示される映像の明るさを低下させることなく、光感受性発作が引き起こされるのを抑制することができる。さらに、残像を確実に発生させて、所定の点滅映像におけるフラッシング効果を確実に抑制することができるので、光感受性発作が引き起こされるのを確実に抑制することができる。
【００５２】
なお、第２実施形態のその他の効果は、上記第１実施形態と同様である。
【００５３】
（第３実施形態）
次に、図４および図５を参照して、第３実施形態について説明する。この第３実施形態では、上記第１および第２実施形態の構成に加えて、テレビジョン装置３００が周囲の照度を検出する光検出部２１８をさらに備える例について説明する。なお、テレビジョン装置３００は、本発明の「表示装置」の一例である。
【００５４】
本発明の第３実施形態によるテレビジョン装置３００は、図４に示すように、テレビジョン装置３００の周囲の照度を検出する光検出部２１８と、光検出部２１８により検出されるテレビジョン装置３００の周囲の照度の大きさに応じてＮＲ処理の強度を所定の強度以上の強度に設定する制御を行う制御部２１６とを備えている。なお、上記第１および第２実施形態と同一の構成については、同じ符号を付してその説明を省略する。
【００５５】
光検出部２１８は、テレビジョン装置３００に内蔵または外付けされており、室内に配置されるテレビジョン装置３００の周囲（室内空間）の照度を検出するように構成されている。そして、テレビジョン装置３００では、光検出部２１８による照度の検出結果に基づいて、テレビジョン装置３００の周囲の明るさが判別される。
【００５６】
ここで、光感受性発作は、所定の点滅映像を視聴するユーザの周囲の明るさにも発生確率が依存することが知られている。すなわち、テレビジョン装置を視聴するユーザの周囲が暗い（照度が低い）場合には、所定の点滅映像により光感受性発作が起こる確率が高まってしまう。したがって、光感受性発作が引き起こされるのを抑制するには、ユーザの周囲の明るさ、すなわち、テレビジョン装置の周囲の明るさについても考慮することが好ましい。
【００５７】
制御部２１６は、所定の点滅映像が検出された場合には、光検出部２１８により検出されるテレビジョン装置３００の周囲の照度の大きさに応じて、ＮＲ処理の強度を所定の強度以上の強度に設定する制御を行うように構成されている。すなわち、制御部２１６は、テレビジョン装置３００の周囲の明るさに応じて、所定の強度以上の強度において、ＮＲ処理の強度を異ならせるように構成されている。光検出部２１８により検出されるテレビジョン装置３００の周囲の照度の大きさに応じて、ＮＲ処理の強度を設定する制御としては、たとえば、１または複数の照度の大きさのしきい値を設けることにより照度の大きさに応じて設定する制御でもよいし、照度の大きさに基づいてＮＲ処理の強度を求める関数を用いることにより照度の大きさに応じて設定する制御でもよい。これらの照度のしきい値や関数は、実験などにより適宜決定される。
【００５８】
次に、上述した光検出部２１８により検出されるテレビジョン装置３００の周囲の照度の大きさに応じたＮＲ強度設定処理について、具体的な数値に基づいて一例を説明する。ここでは、ＮＲ処理の強度が０〜１００％の間で設定可能に構成されているとともに、ＮＲ処理の強度の初期値として６０％が、所定の強度として８０％が設定されており、照度の大きさを判別するためのしきい値としてしきい値Ｉａおよびしきい値Ｉａよりも大きいしきい値Ｉｂが設定されている例について説明する。なお、ＮＲ処理の強度はこの例に示す値に限定されるものではない。
【００５９】
まず、点滅映像検出部１５により所定の点滅映像が検出されない場合には、強度６０％のＮＲ処理がなされた映像が表示部１７に表示される。
【００６０】
そして、点滅映像検出部１５により所定の点滅映像が検出された場合には、ＮＲ処理の強度が初期値である６０％よりも大きい所定の強度である８０％以上に制御部２１６により設定される。具体的には、光検出部２１８により検出される照度の大きさがしきい値Ｉａよりも小さい場合には、テレビジョン装置３００の周囲が暗く、所定の点滅映像におけるフラッシング効果が大きくなる（高まる）と考えられるので、ＮＲ処理の強度１００％（設定可能な最大の強度）に制御部２１６により設定される。
【００６１】
また、光検出部２１８により検出される照度の大きさがしきい値Ｉａ以上でかつしきい値Ｉｂよりも小さい場合には、ＮＲ処理の強度が９０％に制御部２１６により設定される。そして、光検出部２１８により検出される照度の大きさがしきい値Ｉｂ以上の場合には、テレビジョン装置３００の周囲が明るく、所定の点滅映像におけるフラッシング効果が小さくなると考えられるので、ＮＲ処理の強度が８０％に制御部２１６により設定される。
【００６２】
そして、光検出部２１８により検出される照度の大きさに応じて設定された強度のＮＲ処理がなされた映像が表示部１７に表示される。これにより、所定の点滅映像において残像を発生させて、所定の点滅映像におけるフラッシング効果が抑制される。
【００６３】
その後、所定の点滅映像が検出されなくなった場合には、ＮＲ処理の強度が初期値である６０％に制御部２１６により戻される。
【００６４】
次に図５を参照して、テレビジョン装置３００におけるＮＲ強度設定処理についてフローチャートに基づいて説明する。なお、図２に示した上記第１実施形態と同一の処理については、同じ符号を付してその説明を省略する。
【００６５】
ステップＳ２において所定の点滅映像が検出された（点滅映像検出部１５からの検出信号が受信された）場合には、図５に示すように、ステップＳ３ｂにおいて、上述したように、光検出部２１８により検出される照度の大きさに応じて制御部２１６により設定される。そして、ステップＳ５およびＳ６において、ＮＲ処理が実行されるとともに、ＮＲ処理後の映像が表示部１７に出力されて、ＮＲ強度設定処理が終了される。
【００６６】
なお、第３実施形態のその他の構成は、上記第１実施形態と同様である。
【００６７】
第３実施形態では、以下のような効果を得ることができる。
【００６８】
第３実施形態では、上記のように、所定の点滅映像が検出された場合には、光検出部２１８により検出される周囲の照度の大きさに応じて、ＮＲ（ノイズリダクション）処理の強度を所定の強度以上の強度に設定する制御を行うように制御部２１６を構成する。これにより、上記第１実施形態と同様に、表示部１７に表示される映像の明るさを低下させることなく、光感受性発作が引き起こされるのを抑制することができる。さらに、テレビジョン装置３００の周囲の状況に応じて、ＮＲ処理の強度を適切な強度に設定することができる。
【００６９】
すなわち、上記のように構成することによって、光検出部２１８により検出される周囲の照度の大きさが小さい場合（周囲が暗い場合）には、所定の強度以上の強度の範囲内で、ＮＲ処理の強度を大きく設定することができるので、光感受性発作が引き起こされるのを確実に抑制することができる、また、光検出部２１８により検出される周囲の照度の大きさが大きい（周囲が明るい）場合には、所定の強度以上の強度の範囲内で、ＮＲ処理の強度を小さく設定することができるので、光感受性発作が引き起こされるのを抑制しながら、ＮＲ処理によって残像が必要以上に発生するのを抑制することができる。その結果、これによっても、ユーザが違和感のある映像（残像が必要以上に発生した映像など）が表示部１７に表示されるのを抑制することができる。
【００７０】
なお、第３実施形態のその他の効果は、上記第１実施形態と同様である。
【００７１】
（第４実施形態）
次に、図４および図６を参照して、第４実施形態について説明する。この第４実施形態では、上記第３実施形態とは異なり、テレビジョン装置４００が所定の点滅映像の輝度差の大きさと、照度の大きさとに応じてＮＲ処理の強度を設定する例について説明する。なお、テレビジョン装置４００は、本発明の「表示装置」の一例である。
【００７２】
本発明の第４実施形態によるテレビジョン装置４００は、図４に示すように、点滅映像検出部１５により所定の点滅映像が検出された場合には、点滅映像検出部１５により検出される所定の点滅映像における輝度差の大きさと、光検出部２１８により検出されるテレビジョン装置４００の周囲の照度の大きさとの両方に応じてＮＲ処理の強度を所定の強度以上の強度に設定する制御を行う制御部３１６を備えている。なお、上記第１〜第３実施形態と同一の構成については、同じ符号を付してその説明を省略する。
【００７３】
この場合、制御部３１６では、上記第１実施形態の所定の点滅映像における輝度差の大きさに関するしきい値または関数と、第３実施形態の周囲の照度の大きさに関するしきい値または関数との組み合わせにより、ＮＲ処理の強度が設定される。
【００７４】
次に、上述した点滅映像検出部１５により検出される所定の点滅映像における輝度差の大きさと、光検出部２１８により検出されるテレビジョン装置４００の周囲の照度の大きさとの両方に応じたＮＲ強度設定処理について、具体的な数値に基づいて一例を説明する。ここでは、ＮＲ処理の強度が０〜１００％の間で設定可能に構成されているとともに、ＮＲ処理の強度の初期値として４０％が、所定の強度として７０％が設定されており、輝度差の大きさを判別するためのしきい値としてしきい値Ｌｃが、照度の大きさを判別するためのしきい値としてしきい値Ｉｃが設定されている例について説明する。なお、ＮＲ処理の強度はこの例に示す値に限定されるものではない。
【００７５】
まず、点滅映像検出部１５により所定の点滅映像が検出されない場合には、強度４０％のＮＲ処理がなされた映像が表示部１７に表示される。
【００７６】
そして、点滅映像検出部１５により所定の点滅映像が検出された場合には、ＮＲ処理の強度が初期値である４０％よりも大きい所定の強度である７０％以上に制御部３１６により設定される。具体的には、点滅映像検出部１５により検出される所定の点滅映像の輝度差の大きさがしきい値Ｌｃよりも小さく、かつ、光検出部２１８により検出される照度の大きさがしきい値Ｉｃ以上である場合には、テレビジョン装置３００の周囲が明るく、所定の点滅映像におけるフラッシング効果も小さいと考えられるので、ＮＲ処理の強度が７０％に制御部３１６により設定される。
【００７７】
また、点滅映像検出部１５により検出される所定の点滅映像の輝度差の大きさがしきい値Ｌｃよりも小さく、かつ、光検出部２１８により検出される照度の大きさがしきい値Ｉｃよりも小さい場合には、テレビジョン装置３００の周囲が暗いものの、所定の点滅映像におけるフラッシング効果は小さいと考えられるので、ＮＲ処理の強度が７０％よりも大きい８０％に制御部３１６により設定される。
【００７８】
また、点滅映像検出部１５により検出される所定の点滅映像の輝度差の大きさがしきい値Ｌｃ以上であり、かつ、光検出部２１８により検出される照度の大きさがしきい値Ｉｃ以上である場合には、テレビジョン装置３００の周囲が明るいものの、所定の点滅映像におけるフラッシング効果は大きいと考えられるので、ＮＲ処理の強度がさらに大きい９０％に制御部３１６により設定される。
【００７９】
そして、点滅映像検出部１５により検出される所定の点滅映像の輝度差の大きさがしきい値Ｌｃ以上であり、かつ、光検出部２１８により検出される照度の大きさがしきい値Ｉｃよりも小さい場合には、テレビジョン装置３００の周囲が暗く、所定の点滅映像におけるフラッシング効果も大きい最も悪い条件であると考えられるので、ＮＲ処理の強度が設定可能な最大の強度である１００％に制御部３１６により設定される。
【００８０】
そして、点滅映像検出部１５により検出される所定の点滅映像の輝度差の大きさと、光検出部２１８により検出される照度の大きさとの両方に応じて設定された強度のＮＲ処理がなされた映像が表示部１７に表示される。これにより、状況に応じて、所定の点滅映像において残像を発生させて、所定の点滅映像におけるフラッシング効果が抑制される。
【００８１】
その後、所定の点滅映像が検出されなくなった場合には、ＮＲ処理の強度が初期値である５０％に制御部３１６により戻される。
【００８２】
次に図６を参照して、テレビジョン装置４００におけるＮＲ強度設定処理についてフローチャートに基づいて説明する。なお、図２に示した上記第１実施形態と同一の処理については、同じ符号を付してその説明を省略する。
【００８３】
ステップＳ２において所定の点滅映像が検出された（点滅映像検出部１５からの検出信号が受信された）場合には、図６に示すように、ステップＳ３ｃにおいて、点滅映像検出部１５により検出される所定の点滅映像の輝度差の大きさと、光検出部２１８により検出される照度の大きさとの両方に応じて制御部３１６により設定される。そして、ステップＳ５およびＳ６において、ＮＲ処理が実行されるとともに、ＮＲ処理後の映像が表示部１７に出力されて、ＮＲ強度設定処理が終了される。
【００８４】
なお、第４実施形態のその他の構成は、上記第３実施形態と同様である。
【００８５】
第４実施形態では、以下のような効果を得ることができる。
【００８６】
第４実施形態でも、点滅映像検出部１５により所定の点滅映像が検出された場合には、ＮＲ処理の強度を所定の強度以上の強度にする制御部３１６を設けることによって、上記第１実施形態と同様に、表示部１７に表示される映像の明るさを低下させることなく、光感受性発作が引き起こされるのを抑制することができる。
【００８７】
また、第４実施形態では、上記のように、点滅映像検出部１５により所定の点滅映像が検出された場合には、点滅映像検出部１５により検出される所定の点滅映像における輝度差の大きさと、光検出部２１８により検出されるテレビジョン装置４００の周囲の照度の大きさとに応じてＮＲ（ノイズリダクション）処理の強度を所定の強度以上の強度に設定するように制御部３１６を構成する。これにより、所定の点滅映像における映像信号の輝度差の大きさとテレビジョン装置４００の周囲の照度の大きさとに応じてＮＲ処理の強度を設定することができるので、テレビジョン装置４００の周囲の状況と所定の点滅映像における点滅の度合いとに応じて、ＮＲ処理の強度をより適切な強度に設定することができる。
【００８８】
なお、第４実施形態のその他の効果は、上記第３実施形態と同様である。
【００８９】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００９０】
たとえば、上記第１〜第４実施形態では、テレビジョン装置１００（２００、３００、４００）が点滅映像検出部１５を備えた例を示したが、本発明はこれに限られない。本発明では、テレビジョン装置の制御部が点滅映像検出部を兼ねてもよい。この場合、フレームメモリから出力された映像信号に所定の点滅映像が含まれるか否かが制御部により判別される。
【００９１】
また、上記第１〜第４実施形態では、所定の点滅映像が検出されなくなった場合には、ＮＲ処理の強度を初期値に戻す例を示したが、本発明はこれに限られない。本発明では、所定の点滅映像が検出されなくなった後にも、ＮＲ処理の強度を初期値に戻さなくともよい。たとえば、ユーザが自ら判断した後、ユーザによりＮＲ処理の強度が変更されるように構成してもよい。
【００９２】
また、上記第１〜第４実施形態では、所定の点滅映像が検出されなくなった場合には、ＮＲ処理の強度を一段階で初期値に戻す例を示したが、本発明はこれに限られない。本発明では、所定の点滅映像が検出されなくなった場合に、ＮＲ処理の強度を複数段階を経て徐々に初期値に戻してもよい。
【００９３】
また、上記第２実施形態では、所定の点滅映像が検出された場合にＮＲ処理の強度を設定可能な最大の強度に設定した例を示したが、本発明はこれに限られない。本発明では、フラッシング効果の抑制に有効な所定の強度以上の強度であれば、所定の点滅映像が検出された場合にＮＲ処理の強度を設定可能な最大の強度以外の強度に設定してもよい。
【００９４】
また、上記第１、第３および第４実施形態では、所定の点滅映像が検出された場合には、点滅映像検出部１５により検出される所定の点滅映像における輝度差の大きさ、および（または）、光検出部２１８により検出される周囲の照度の大きさに応じてＮＲ処理の強度を設定した例を示したが、本発明はこれに限られない。本発明では、所定の点滅映像が検出された場合には、まず、ＮＲ処理の強度を設定可能な最大の強度に設定した後、点滅映像検出部１５により検出される所定の点滅映像における輝度差の大きさ、および（または）、光検出部２１８により検出される周囲の照度の大きさに応じてＮＲ処理の強度を設定してもよい。
【００９５】
また、上記第１〜第４実施形態では、表示装置の一例としてのテレビジョン装置１００（２００、３００、４００）に本発明を適用した例を示したが、本発明はこれに限られない。本発明では、テレビジョン装置以外にも、ＰＣ用のディスプレイ装置などの一般的な表示装置にも適用可能である。
【００９６】
また、上記第１〜第４実施形態では、説明の便宜上、本発明の制御部１６（１１６、２１６、３１６）の処理を処理フローに沿って順番に処理を行うフロー駆動型のフローチャートを用いて説明したが、本発明はこれに限られない。本発明では、制御部１６（１１６、２１６、３１６）の処理動作を、イベントごとに処理を実行するイベント駆動型（イベントドリブン型）の処理により行ってもよい。この場合、完全なイベント駆動型で行ってもよいし、イベント駆動およびフロー駆動を組み合わせて行ってもよい。
【符号の説明】
【００９７】
１５  点滅映像検出部
１６、１１６、２１６、３１６  制御部
１７  表示部
１００、２００、３００、４００  テレビジョン装置（表示装置）
２１８  光検出部
【図１】
2015154086.tif 000003
【図２】
2015154086.tif 000004
【図３】
2015154086.tif 000005
【図４】
2015154086.tif 000006
【図５】
2015154086.tif 000007
【図６】
2015154086.tif 000008